(57)【要約】【課題】市場に多く存在する利用者の負担が大きく会計処理に時間がかかるセルフレジではなく、利用者の負担が小さく瞬時に会計できるセルフレジを提供する。【解決手段】特徴的な形状のカゴを用いることによって、利用者が特に意識することなく複数の商品のバーコード印字面をスキャナ側に向けて収容ができ、バーコードから瞬時に商品情報を読み取ることにより、会計処理にかかる時間を短縮することを特徴とする。【選択図】図１
2019125326.tif 000002
【特許請求の範囲】
【請求項１】
特徴的な形状により、利用者が特に意識せずとも商品のバーコード印字面を他の商品と重ならないように商品を収容できるカゴ。
【請求項２】
請求項１のカゴを使用したカゴ内部に収容された商品のバーコードと商品個数を瞬時に読み取ることができるセルフレジ。
【請求項３】
請求項２のセルフレジで請求項１のカゴを使用し、カゴ内部に収容された商品の情報を認識する方法。
【発明の詳細な説明】
【技術分野】
【０００１】本発明は、小売店でバーコードが印字された商品をカゴに収容する際に、バーコードが印字されている商品をバーコード印字面が他の商品と重ならないようにカゴ内部に収容ができるカゴと、カゴ内部に収容されている商品のバーコードと商品の個数を瞬時に読み取り、商品情報を認識するセルフレジに関するものである。
【背景技術】
【０００２】一般に都市部や人口密集地などのコンビニエンスストアではピーク時間帯にレジ待ち行列が発生しており、購入点数の少ない客が購入点数の多い客の会計で待たされることがある。その際、ピーク時間帯に店舗内の行列を見た客が入店をあきらめたり、店舗内の行列に並んでいた客もレジ待ちの時間に耐えられなくなり、途中で購入をやめる状況が発生し、客が不満を抱えている。【０００３】これらの問題は商品のバーコードを一点ずつバーコードスキャナに手動で読み込ませる有人レジの会計動作によって引き起こされるものである。そのため、瞬時に会計を済ませられ、顧客の負担を軽減できるセルフレジが求められている。
【先行技術文献】
【特許文献】
【０００４】
【特許文献１】特開平８−１４２８７１号広報
【特許文献２】特開２０１２−１９０２４６号広報
【発明の概要】
【発明が解決しようとする課題】
【０００５】先行技術文献にみられるセルフレジにおいては、多くは客が自ら商品を手に取って商品情報をセルフレジに読み取らせなければならないもので、客の負担が大きく会計時間の大幅な短縮に繋がっていない。本発明は、客に多大な負担をかけず瞬時に商品情報を読み取らせるセルフレジを開発することを課題とする。
【課題を解決するための手段】
【０００６】特徴的な形状のカゴにより、利用者が意識せずとも複数の商品のバーコード印字面が重ならずにカゴ内部に収容できるようにしたことを特徴とする。【０００７】特徴的な形状と透明度の高い材料を使ったカゴを使用することにより、バーコードスキャナに対してカゴ内部の商品バーコード印字面が認識しやすい向きになり、かつカゴを透過してバーコードを読み取るため、会計作業時のバーコード読み取りの精度を向上させたことを特徴とする。【０００８】特徴的な形状のカゴに合わせた形状のセルフレジに、多数のバーコードスキャナを配置したことでカゴに収納された商品のバーコードを瞬時に読み取れるようにしたことを特徴とする。
【発明の効果】
【０００９】商品が収納されたカゴをセルフレジに置くだけで、商品のバーコードのスキャンが完了するため、商品を一点ずつバーコードスキャナに読み込ませる必要がなくなる。そのため客の負担が減り、会計にかかる時間が削減される。【００１０】従来のセルフレジに比べ、客の会計時の動作が減ることにより、誤操作についても減少が期待できる。
【図面の簡単な説明】
【００１１】
【図１】図１は、特徴的な形状のカゴの斜視図である。
【図２】図２は、カゴの持ち方を表す図である。
【図３】図３は、カゴ内部への商品収容の例１である。
【図４】図４は、カゴ内部への商品収容の例２である。
【図５】図５は、クイックレジ商品読取部の斜視図である。
【図６】図６は、クイックレジ商品読取部にスキャナ及びカメラを配置例の分解斜視図である。
【図７】図７は、クイックレジ全体像の斜視図である。
【図８】図８は、機能を示すフローチャートである。
【発明を実施するための形態】
【００１２】利用者の負担が小さくスムーズに会計できるセルフレジである。
【実施例】
【００１３】図１の符号１は特殊な形状をしているカゴを示す。この形状により商品のバーコード印字面が重なることなく収容される。符号１１により、ボトル・缶・パックに入っている液体商品のバーコード印字面が重ならない状況を実現する。符号１２により、符号１３に符号４３のような弁当等の大きな商品が入ってもカゴ内部で動かないことでバーコード印字面が重ならない状況を実現する。符号１３の形状により、符号４７のような小さな商品が複数置かれても、バーコード印字面が重ならない状況を実現する。【００１４】図２に示すように符号１のカゴ側面のくぼみ符号１４により、手の小さい人でもカゴを持ちやすくなっている。またこのくぼみは、カゴを数段積み重ねた際にも任意の個数を取り出しやすいようになっている。【００１５】図３と図４に示すように、カゴの特殊な形状により、利用者が特に意識せずに商品をカゴ内に収容したとしても、図３と図４に示すように利用者が商品をカゴ内に収容する可能性が高く、符号２のクイックレジ商品読取部に対して、バーコード印字面を読み取りやすい状態で収容することが可能である。図３と図４は商品収容の例なため、この他に無数の商品収容の例が考えられる。符号４１と符号４４はボトル入り・缶入り飲料であり、符号１１に納まっている。符号４２はチューインガム商品であり、商品自体が小さいためカゴ内部に無作為に収容されると考えられる、図３は例なため、示した位置に収容されると想定する。符号４３は弁当類であり、カゴ内最大収容可能箇所符号１３に収容される。符号４５・４６・４７も、図４のように大きな商品が符号１３に収容されていない場合、符号１３に収容されると考えられる。【００１６】図５の符号２は符号１の形状に対応したバーコード読取装置の形状を示している。符号２の符号２０に、符号１のカゴが挿入され、カゴ内部のバーコードを読み取ることにより、本発明が実現される。符号２１の箇所に符号１１が合致するように挿入される。符号２２の箇所に符号１２が覆いかぶさるように合致するため、誤った位置にカゴを挿入する事態が避けられる。【００１７】図６はクイックレジ商品読取部に埋め込まれるバーコードスキャナの配置例を示す。符号２０１及び２０２は商品全体の個数を判断するためのカメラである。符号２０３・２０４・２０５・２０６・２０７・２０８・２０９・２１０・２１１・２１２・２１３・２１４・２１５・２１６・２１７・２１８・２１９・２２０・２２１・２２２・２２３・２２４・２２５・２２６・２２７は商品のバーコードをスキャンするためのバーコードスキャナである。【００１８】図７はクイックレジ全体の配置例を示す。【００１９】図８は本発明の機能のフローチャートを示す。
【符号の説明】
【００２０】１．カゴ
２．クイックレジ読取部
３．ＰＯＳ・自動精算機部
４．デスク
１１．ボトル・缶・パック商品収納部
１２．カマボコ型突起部
１３．波型底面
１４．持ち手用くぼみ
２０．カゴ挿入部
２１．ボトル・缶・パック商品収納部合致部
２２．カマボコ型突起部合致部
４１．ボトル入り商品
４２．チューインガム
４３．弁当類
４４．缶入り商品
４５．サンドイッチ
４６．スナック菓子
４７．おにぎり
２０１．商品認識用カメラ１
２０２．商品認識用カメラ２
２０３．バーコードスキャナ１
２０４．バーコードスキャナ２
２０５．バーコードスキャナ３
２０６．バーコードスキャナ４
２０７．バーコードスキャナ５
２０８．バーコードスキャナ６
２０９．バーコードスキャナ７
２１０．バーコードスキャナ８
２１１．バーコードスキャナ９
２１２．バーコードスキャナ１０
２１３．バーコードスキャナ１１
２１４．バーコードスキャナ１２
２１５．バーコードスキャナ１３
２１６．バーコードスキャナ１４
２１７．バーコードスキャナ１５
２１８．バーコードスキャナ１６
２１９．バーコードスキャナ１７
２２０．バーコードスキャナ１８
２２１．バーコードスキャナ１９
２２２．バーコードスキャナ２０
２２３．バーコードスキャナ２１
２２４．バーコードスキャナ２２
２２５．バーコードスキャナ２３
２２６．バーコードスキャナ２４
２２７．バーコードスキャナ２５
３０１．タッチディスプレイ
【図１】
2019125326.tif 000003
【図２】
2019125326.tif 000004
【図３】
2019125326.tif 000005
【図４】
2019125326.tif 000006
【図５】
2019125326.tif 000007
【図６】
2019125326.tif 000008
【図７】
2019125326.tif 000009
【図８】
2019125326.tif 000010